(57)【特許請求の範囲】
【請求項１】
前方に形成された開口部を備えた本体と、
この本体内に上下方向に回動可能に配設され、前方に位置して前記本体の開口部に臨ませられた眼球表示部を備えた眼球体と、
前記本体内に配設され、この本体の横転時に前記眼球体を下方に回動させて前記眼球表示部を前記本体の開口部の位置より移動させる駆動体と
を具備していることを特徴とした玩具用眼球装置。
【請求項２】
眼球体は、この眼球体の下方に取り付けられた錘体を備えている
ことを特徴とした請求項１記載の玩具用眼球装置。
【請求項３】
眼球体は、眼球表示部と対向する後方に位置し左右方向である径方向に向けて突出した一対の傾斜部を備え、
駆動体は、前記眼球体の後方に位置し、本体の横転に伴って揺動して前記一対の傾斜部のいずれか一方を押圧する
ことを特徴とした請求項１または２記載の玩具用眼球装置。
【請求項４】
駆動体は、この駆動体の前方に形成され、眼球体の回動方向である上下方向に沿って突出した押動突部を備え、
この押動突部は、本体の横転時に前記眼球体の一対の傾斜部のいずれか一方を押圧して、この眼球体を下方に向けて回動させる
ことを特徴とした請求項３記載の玩具用眼球装置。
【請求項５】
駆動体は、眼球体が回動する方向と直交する方向に向けて揺動可能である
ことを特徴とした請求項１ないし４いずれかに記載の玩具用眼球装置。
【発明の詳細な説明】
【０００１】
【発明の属する技術分野】
本発明は、眼球体が回動する玩具用眼球装置に関する。
【０００２】
【従来の技術】
従来、この種の玩具用眼球装置としては、実公昭５４−２９９１０号公報に記載の構成が知られている。
【０００３】
この実公昭５４−２９９１０号公報に記載の玩具用眼球装置は、前方を開口した本体内に駆動体が上下方向に回動可能に取り付けられている。また、この駆動体の上部には、係合突片が形成されており、この駆動体の下部には、錘体が取り付けられている。
【０００４】
さらに、本体内には、駆動体の前方位置に支持される眼球体が回動可能に配設されている。そして、この眼球体の前方には、眼球表示部が形成されており、また、この眼球体の後方には、駆動体の係合突片に係合される係止突片が形成されている。
【０００５】
そして、本体の開口を水平に向けた状態からこの本体を上方に向けて回動させると、駆動体が回動して、この駆動体の係合突片が眼球体の係止突片を下方に向けて押圧する。この結果、本体に対して眼球体が上方に向けて回動し、この眼球体の眼球表示部が本体の開口に表示されることとなるので、眼を開いた状態となる。
【０００６】
次いで、この状態から本体を下方に向けると、駆動体が回動して、この駆動体の係合突片による眼球体の係止突片の押圧が解除される。この結果、眼球体が自重により下方に向けて回動し、この眼球体の眼球表示部が本体の開口から外れるので、眼を閉じた状態となる。
【０００７】
【発明が解決しようとする課題】
しかしながら、上記実公昭５４−２９９１０号公報に記載の玩具用眼球装置では、本体を横方向に向けて回動した場合には、眼球体が回動しないので、この眼球体の眼球表示部が回動しない。このため、この玩具用眼球装置を犬などの動物の玩具に用いた場合には、犬などの動物は一般に顔を横に向けて休むので、現実味に欠けてしまい、遊戯者に対して面白みに欠けるという問題を有している。
【０００８】
本発明は、このような点に鑑みなされたもので、面白く遊べる玩具用眼球装置を提供することを目的とする。
【０００９】
【課題を解決するための手段】
請求項１記載の玩具用眼球装置は、前方に形成された開口部を備えた本体と、この本体内に上下方向に回動可能に配設され、前方に位置して前記本体の開口部に臨ませられた眼球表示部を備えた眼球体と、前記本体内に配設され、この本体の横転時に前記眼球体を下方に回動させて前記眼球表示部を前記本体の開口部の位置より移動させる駆動体とを具備しているものである。
【００１０】
そして、この構成では、本体の開口部を水平に向け、眼球体の眼球表示部を本体の開口部に臨ませた状態から、この本体を左右方向に横転する。このとき、駆動体が眼球体を下方に向けて回動させるので、この眼球体の眼球表示部が本体の開口部より下方に移動して、眼を閉じた状態となる。この状態から本体を初期の状態に戻すと、駆動体による眼球体の下方に向けた回動が解除して、この眼球体の眼球表示部が上方に向けて本体の開口部の位置に移動して、眼を開いた状態となる。この結果、本体をどちらに横転させても、眼球体の眼球表示部が移動して、眼を閉じた状態となるので、面白く遊べる。
【００１１】
請求項２記載の玩具用眼球装置は、請求項１記載の玩具用眼球装置において、眼球体は、この眼球体の下方に取り付けられた錘体を備えているものである。
【００１２】
そして、この構成では、本体の開口部を水平に向け、眼球体の眼球表示部を本体の開口部に臨ませた状態から、この本体の開口部を上方に向けると、眼球体の下方に取り付けた錘体の自重により、この眼球体が下方に向けて回動して、この眼球体の眼球表示部が本体の開口部より下方に移動して、眼を閉じた状態となる。このため、本体の開口部を上方に向けた場合であっても、この本体を横転した場合であっても、眼球体が下方に向けて回動して、眼を閉じた状態となる。この結果、本体を眼球体の回動方向である下方以外の方向に向けて回動させることにより、眼球体が下方に向けて回動するので、眼球としての現実味がより向上し、玩具としての面白さがより向上するため、より面白く遊べる。
【００１３】
請求項３記載の玩具用眼球装置は、請求項１または２記載の玩具用眼球装置において、眼球体は、眼球表示部と対向する後方に位置し左右方向である径方向に向けて突出した一対の傾斜部を備え、駆動体は、前記眼球体の後方に位置し、本体の横転に伴って揺動して前記一対の傾斜部のいずれか一方を押圧するものである。
【００１４】
そして、この構成では、本体の開口を水平に向け、眼球体の眼球表示部を本体の開口部に臨ませた状態からこの本体を横転すると、駆動体が眼球体の一対の傾斜部のいずれか一方を押圧して、この眼球体を下方に向けて回動させる。この状態から本体を初期の状態に戻すと、押圧体による眼球体の傾斜部への押圧が解除して、この眼球体が上方に向けて回動する。このため、簡単な構成で、本体の横転時に眼球体の眼球表示部が本体の開口部に対して移動して眼が開閉するので、製造が容易になる。
【００１５】
また、本体の開口を水平に向け、眼球体の眼球表示部を本体の開口部に臨ませた状態から、この本体を少し横転した場合には、一対の傾斜部が水平方向である径方向に向けて突出しているため、眼球体に対する駆動体の押圧が小さくなり、眼球体が少し下方に向けて回動した状態となる。この結果、眼が半開き状態となり、より面白く遊べる。
【００１６】
請求項４記載の玩具用眼球装置は、請求項３記載の玩具用眼球装置において、駆動体は、この駆動体の前方に形成され、眼球体の回動方向である上下方向に沿って突出した押動突部を備え、この押動突部は、本体の横転時に前記眼球体の一対の傾斜部のいずれか一方を押圧して、この眼球体を下方に向けて回動させるものである。
【００１７】
そして、この構成では、本体の開口を水平に向け、眼球体の眼球表示部を本体の開口部に臨ませた状態から、この本体を横転すると、駆動体の押動突部が眼球体の一対の傾斜部のいずれか一方を押圧して、この眼球体を下方に向けて回動させる。よって、本体の横転時に、押圧体の押圧突部がより確実に眼球体の一対の傾斜部のいずれか一方を押圧するので、本体の横転時における眼球体の回動感度が向上する。
【００１８】
請求項５記載の玩具用眼球装置は、請求項１ないし４いずれかに記載の玩具用眼球装置において、駆動体は、眼球体が回動する方向と直交する方向に向けて揺動可能であるものである。
【００１９】
そして、この構成では、本体の開口を水平に向け、眼球体の眼球表示部を本体の開口部に臨ませた状態から、この本体を横転すると、眼球体が回動する方向と直交する方向に向けて押圧体が揺動して、眼球体を下方に向けて回動させる。この状態から本体を初期の状態に戻すと、この駆動体の揺動が解除して、この駆動体が初期の状態に戻るので、眼球体が上方に向けて回動する。このため、より簡単な構成で、本体の横転時に眼球体が下方に向けて回動するので、製造がより容易になる。
【００２０】
【発明の実施の形態】
以下、本発明の玩具用眼球装置の一実施の形態の構成を図１ないし図６を参照して説明する。
【００２１】
図１ないし図６において、１は玩具用眼球装置で、この玩具用眼球装置１は、例えば、犬などの動物玩具や人形玩具などの各種の玩具の眼球部分に取り付けられるものである。また、この玩具用眼球装置１は、内部が空洞、すなわち中空な略球状の本体としてのケース体５を備えている。このケース体５は、例えば合成樹脂などで成形されており、また、このケース体５の前方には、略楕円形状の開口部６が形成されている。
【００２２】
さらに、このケース体５は、開口部６を有する前方側に位置する略半球状の前方ケース部11を備えており、この前方ケース部11の後方には、略半球状の後方ケース部12が嵌合されている。
【００２３】
そして、前方ケース部11の上端および下端には、後方に向けて突出するボス部14a，14bがそれぞれ突設されている。これらボス部14a，14bには、取付ねじとしてのタッピングネジ15が螺着されるねじ孔16a，16bそれぞれ開口形成されている。また、前方ケース部11の上端に位置するボス部14aの下方であるこの前方ケース部11の後方に位置する開口縁には、後方に向けて突出したピン係止孔17を有する円筒状のピン係止部18が形成されている。
【００２４】
さらに、前方ケース部11の後方に位置する開口内縁の左右方向である両側には、前方に向けて切り欠かれた形状の一対の凹溝部19a，19bが形成されている。また、これら一対の凹溝部19a，19bそれぞれと対向する前方ケース部11の後方に位置する開口外縁の左右方向である両側には、内方に向けて凹状に切り欠かれた形状の嵌合溝20a，20bがそれぞれ形成されている。
【００２５】
そして、後方ケース部12の上端および下端には、前方ケース部11のボス部14a，14bのねじ孔16a，16bに連通し、タッピングネジ15の先端が挿通されるねじ挿通孔21a，21bを有するとともに、これらボス部14a，14bの先端が嵌合する嵌合凹部22a，22bを有する取付片23a，23bがそれぞれ突設されている。また、この後方ケース部12内の上端である取付片23aの下方には、前方ケース部11のピン係止孔17に離間して連通するピン係止孔24を有したピン係止部25が形成されている。
【００２６】
さらに、後方ケース部12の前方に位置する開口端の左右方向である両側には、前方ケース部11の嵌合溝20a，20bに嵌合する前方に向けて突出した一対の嵌合突片26a，26bがそれぞれ形成されている。また、これら嵌合突片26a，26bと対向する後方ケース部12の前方に位置する開口内縁の左右方向である両側には、前方ケース部11の凹溝部19a，19bの後方を閉塞して凹部27a，27bを形成する支持片28a，28bがそれぞれ形成されている。
【００２７】
そして、ケース体５内には、合成樹脂などで形成された略半球状の眼球体31が上下方向に回転可能に配設されている。この眼球体31の球面側である前方には、眼球を表示した眼球表示部32が形成されている。この眼球表示部32は、ケース体５の開口部６に臨ませられた位置に配設されている。
【００２８】
また、この眼球表示部32は、虹彩や瞳などを表示した上に、表面が鏡面仕上げされた透明なガラスなどを取り付けることにより形成されている。また、この眼球表示部32の周縁に位置する眼球体31の外周面は、磨き加工されており、この眼球表示部32に近接した上方には、上睫毛としての睫毛部33が布などで突設されている。
【００２９】
さらに、眼球体31の下方である下端には、後方に向けて突出した略筒状の錘保持片34が形成されており、この錘保持片34内には、金属などで形成された略円筒状の錘体35が取り付けられている。この錘体35は、ケース体５の開口部６を上方に向けた際に、眼球体31をケース体５に対し下方に向けて回動させ、眼球体31の眼球表示部32を前方ケース部11の開口部６の位置より下方に向けて移動させる。
【００３０】
また、眼球体31の後方に位置する左右方向である両側には、外方に向けて突出した一対の凸部36a，36bが形成されている。これら凸部36a，36bは、前方ケース部11の凹溝部19a，19bと、後方ケース部12の支持片28a，28bとにより形成される凹部27a，27bに摺動可能に配設される。
【００３１】
さらに、これら凸部36a，36bの上方には、左右方向における中心から径方向、すなわち外方としての左右方向に進むに連れて徐々に後方に向けて突出するテーパ状の一対の傾斜部38a，38bが形成されている。これら一対の傾斜部38a，38bは、眼球表示部32と対向する眼球体31の後方に位置しており、また、これら一対の傾斜部38a，38bの間には、左右方向に平行な間隙部39が形成されている。
【００３２】
そして、前方ケース部11のピン係止部18のピン係止孔17と、後方ケース部12のピン係止部25のピン係止孔24との間には、金属などで形成された細長円柱状のピン41が取り付けられており、このピン41には、ケース体５の横転時に眼球体31を下方に向けて回動させて、この眼球体31の眼球表示部32を前方ケース部11の開口部６の位置より下方に向けて移動させる駆動体としての押動体42が、眼球体が回動する方向と直交する左右方向に向けて揺動可能に取り付けられている。
【００３３】
この押動体42は、金属などで形成された錘であり、略平板三角形状に形成されて、眼球体31の後方に位置している。さらに、この押動体42は、ケース体５の横転に伴って揺動する。また、この押動体43の上端には、前方から後方に向けて貫通したピン挿通孔43が開口形成さている。
【００３４】
さらに、この押動体42の前方には、静止した状態で、眼球体31の回動方向である上下方向、すなわち垂直方向に沿って断面略半円状に突出した押動突部44が形成されている。この押動突部44は、ケース体５の横転時に伴う押動体42の揺動により、眼球体31の一対の傾斜部38a，38bのいずれか一方を押圧して、この眼球体31を下方に向けて回動させる。
【００３５】
また、押動体42の後方の下端側には、周面が削り取られた形状の周面部45が形成されており、この周面部45は、ケース体５の横転時における眼球体31の回動で、この眼球体31の錘保持片34に押動体42が当接、すなわち接触して、この眼球体31の回動角度を適正な角度に規制するために形成されている。
【００３６】
次に上記一実施の形態の作用を説明する。
【００３７】
ケース体５の開口部６を水平に向けると、眼球体31の錘体35の自重により、眼球体31の眼球表示部32がケース体５の開口部６の位置に臨ませられた状態となり、眼を開いた状態となる。
【００３８】
この状態から、ケース体５の開口部６を上方に向ける。この結果、眼球体31の錘体35の自重により、この眼球体31がケース体５の開口部６に対して下方に向けて回動して、この眼球体31の眼球表示部32がケース体５の開口部６より下方に移動し、眼を閉じた状態となる。
【００３９】
さらに、この状態から初期の状態へと戻すと、眼球体31の錘体35の自重により、この眼球体31が上方に向けて回動して、この眼球体31の眼球表示部32がケース体５の開口部６に向けて移動し、この開口部６の位置に臨ませられ、眼を開いた状態となる。
【００４０】
また、ケース体５の開口部６を水平に向け、眼球体31の眼球表示部32をケース体５の開口部６の位置に臨ませた状態から、このケース体５を左右方向のいずれか一方に向けて横転する。この結果、このケース体５の横転に伴って、押動体42の自重により、この押動体42がケース体５の横転方向に向けて揺動する。
【００４１】
このとき、押動体42の押動突部44が、ケース体５の横転方向側に位置する眼球体31の一対の傾斜部38aのいずれか一方を押圧する。この結果、押動体42の押動突部44による傾斜部38aへの押圧により、眼球体31が下方に向けて回動して、この眼球体31の眼球表示部32がケース体５の開口部６の位置より下方に向けて移動し、眼を閉じた状態となる。
【００４２】
この状態から、ケース体５を初期の状態へと戻すと、押動体42もまた初期の状態へと揺動する。このため、押動体42の押動突部44による眼球体31の一方の傾斜部38aへの押圧が解錠して、眼球体31が上方に向けて回動して、この眼球体31の眼球表示部32がケース体５の開口部６に向けて移動し、この開口部６の位置に臨ませられ、眼を開いた状態となる。
【００４３】
上述したように、上記一実施の形態によれば、錘体35を眼球体31の下方に取り付けたことにより、ケース体５の開口部６を水平に向けた状態で、この開口部６に眼球体31の眼球表示部32を臨ませることができるので、眼を開かせることができる。
【００４４】
また、ケース体５の開口部６を水平に向けた状態から、このケース体５の開口部６を略垂直な下方以外の方向に横転または向けると、眼球体31の錘体35の自重、および押動体42の揺動による眼球体31の傾斜部38a，38bへの押圧により、この眼球体31の眼球表示部32がケース体５の開口部６の位置より下方に向けて移動するので、眼を閉じさせることができる。
【００４５】
さらに、ケース体５を初期の状態へと戻すと、眼球体31の錘体35および押動体42の自重により、眼球体31の眼球表示部32がケース体５の開口部６の位置に臨ませられるので、眼を開かせることができる。
【００４６】
この結果、ケース体５を略垂直な下方以外の方向に向けることにより眼を閉じ、このケース体５の向きを初期の状態に戻すことにより眼を開くので、眼球としての現実味をより向上でき、玩具としての面白さをより向上できるため、面白く遊ぶことができる。
【００４７】
このため、特に、この玩具用眼球装置１を犬などの動物の玩具に用いることにより、犬などの動物は一般に顔を横に向けて休むので、より現実味の溢れる玩具を提供できる。
【００４８】
また、眼球体31に一対の傾斜部38a，38bを形成するとともに、押動体42に押動突部44を形成したことにより、ケース体５の横転時に、押動突部44が眼球体31の傾斜部38a，38bのいずれか一方を押圧して、この眼球体31の眼球表示部32がケース体５の開口部６の位置から下方に向けて移動して、眼を閉じた状態となる。このため、簡単な構成で、ケース体５の横転時に眼の開閉が容易にできるので、製造を容易にできる。
【００４９】
さらには、ケース体５の横転時に、押動体42の押動突部44が眼球体31の一対の傾斜部38a，38bのいずれか一方を押圧することにより、この眼球体31の眼球表示部32がケース体５の開口部６の位置より下方に向けて移動して、眼を閉じた状態となる。この結果、押動体42に押動突部44を形成しない場合に比べると、ケース体５の横転時における眼球体31の回動感度を向上できる。
【００５０】
そして、一対の傾斜部38a，38bの間に間隙部39を形成したため、ケース体５の開口部６を水平に向けた状態で、間隙部39と押動体42の押動突部44とが接触しない。このため、ケース体５を多少横転しただけでは、押動突部44が傾斜部38a，38bを押圧しないので、眼が閉じない。よって、眼球としての現実味を向上できるので、より面白く遊ぶことができる。
【００５１】
さらに、このケース体５の開口部６をさらに少し横転した場合には、一対の傾斜部38a，38bにより、押動体42の押圧が眼球体31に対して略比例して働く。この結果、眼球体31が少し下方に向けて回動した状態となるので、眼が半開き状態となり、より面白く遊ぶことができる。
【００５２】
さらに、前方ケース部11の凹溝部19a，19bと、この凹溝部19a，19bを閉塞する後方ケース部12の支持片28a，28bとにより形成される凹部27a，27bに眼球体31の凸部36a，36bをそれぞれ配設したため、眼球体31をケース体５内に上下方向に向けて回転可能に配設するための構成を簡略化でき、製造をより容易にできる。
【００５３】
そして、押圧体42の後方の下端側に周面部45を形成したことにより、ケース体５の横転時における眼球体31の回動で、この眼球体31の錘保持片34に押動体42が当接、すなわち接触するので、この眼球体31の回動角度を適正な角度に規制できる。このため、眼の開閉をより円滑にできる。
【００５４】
また、眼球体31が回動する方向と直交する方向に向けて押動体42がピン41により揺動するため、押動体42の押圧力を眼球体31の回動へとより容易に伝達できる。このため、ケース体５の横転による眼の開閉がより円滑にできるとともに、構成がより簡略になるので製造をより容易にできる。
【００５５】
なお、上記一実施の形態では、ケース体５の開口部６を水平に向けた状態から、この開口部６を略垂直な下方以外の方向にケース体５を向けることにより、眼球体31の眼球表示部32が下方に向けて回動して、眼を閉じる構成について説明したが、このような構成に限定されることはなく、ケース体５を横転、すなわち左右方向に回動させることにより、眼球体31が回動して眼を閉じる構成であればよい。
【００５６】
【発明の効果】
請求項１記載の玩具用眼球装置によれば、本体の開口部を水平に向け、眼球体の眼球表示部を本体の開口部に臨ませた状態から、この本体を左右方向に横転すると、駆動体が眼球体を下方に向けて回動させるので、この眼球体の眼球表示部が本体の開口部の位置より下方に移動して、眼を閉じた状態となり、また、この状態から本体を初期の状態に戻すと、駆動体による眼球体の下方に向けた回動が解除して、この眼球体の眼球表示部が上方に向けて本体の開口部の位置に移動して、眼を開いた状態となるので、面白く遊ぶことができるとともに、現実味溢れる玩具を提供できる。
【００５７】
請求項２記載の玩具用眼球装置によれば、請求項１記載の玩具用眼球装置の効果に加え、本体の開口部を水平に向け、眼球体の眼球表示部を本体の開口部に臨ませた状態から、この本体の開口部を上方に向けると、眼球体の下方に取り付けた錘体の自重により、この眼球体が下方に向けて回動して、この眼球体の眼球表示部が本体の開口部の位置より下方に移動し、眼を閉じた状態となるので、本体の開口部を上方に向けた場合であっても、この本体を横転した場合であっても、眼を閉じた状態にでき、本体を眼球体の回動方向である下方以外の方向に向けて回動させることにより、眼球体が下方に向けて回動するため、眼球としての現実味をより向上でき、玩具としての面白さをより向上でき、さらには、より面白く遊ぶことができる。
【００５８】
請求項３記載の玩具用眼球装置によれば、請求項１または２記載の玩具用眼球装置の効果に加え、本体の開口を水平に向け、眼球体の眼球表示部を本体の開口部に臨ませた状態からこの本体を横転すると、駆動体が眼球体の一対の傾斜部のいずれか一方を押圧して、この眼球体を下方に向けて回動させ、また、この状態から本体を初期の状態に戻すと、押圧体による眼球体の傾斜部への押圧が解除して、この眼球体が上方に向けて回動するので、簡単な構成で、本体の横転時に眼球体の眼球表示部が本体の開口部に対して移動して眼を開閉できるため、製造を容易にでき、さらには、本体の開口を水平に向け、眼球体の眼球表示部を本体の開口部に臨ませた状態から、この本体を少し横転した場合には、一対の傾斜部が水平方向である径方向に向けて突出しているため、眼球体に対する駆動体の押圧が小さくなり、眼球体が少し下方に向けて回動した状態となり、眼が半開き状態となるので、より面白く遊ぶことができる。
【００５９】
請求項４記載の玩具用眼球装置によれば、請求項３記載の玩具用眼球装置の効果に加え、本体の開口を水平に向け、眼球体の眼球表示部を本体の開口部に臨ませた状態から、この本体を横転すると、駆動体の押動突部が眼球体の一対の傾斜部のいずれか一方を押圧して、この眼球体を下方に向けて回動させるので、本体の横転時に、押圧体の押圧突部がより確実に眼球体の一対の傾斜部のいずれか一方を押圧するため、本体の横転時における眼球体の回動感度を向上できる。
【００６０】
請求項５記載の玩具用眼球装置によれば、請求項１ないし４いずれかに記載の玩具用眼球装置の効果に加え、本体の開口を水平に向け、眼球体の眼球表示部を本体の開口部に臨ませた状態から、この本体を横転すると、眼球体が回動する方向と直交する方向に向けて押圧体が揺動して、眼球体を下方に向けて回動させ、また、この状態から本体を初期の状態に戻すと、この駆動体の揺動が解除して、この駆動体が初期の状態に戻るので、眼球体が上方に向けて回動するので、より簡単な構成で、本体の横転時に眼球体を下方に向けて回動できるため、製造をより容易にできる。
【図面の簡単な説明】
【図１】本発明の玩具用眼球装置の一実施の形態を示す断面図である。
【図２】同上玩具用眼球装置を示す正面図である。
【図３】同上玩具用眼球装置を示す分解断面図である。
【図４】同上玩具用眼球装置の眼球体の回動状態を示す断面図である。
【図５】同上玩具用眼球装置の眼球体の回動状態を示す正面図である。
【図６】同上玩具用眼球装置の眼球体の回動状態での眼球体と駆動体とを示す説明図である。
【符号の説明】
１    玩具用眼球装置
５    本体としてのケース体
６    開口部
31    眼球体
32    眼球表示部
35    錘体
38a，38b    傾斜部
42    駆動体としての押動体
44    押動突部
【図１】
0003766253.tif 000002
【図２】
0003766253.tif 000003
【図３】
0003766253.tif 000004
【図４】
0003766253.tif 000005
【図５】
0003766253.tif 000006
【図６】
0003766253.tif 000007